(57)【特許請求の範囲】
【請求項１】
光学的変化を発現させるＯＶＤを有する偽造防止用紙において、偽造防止用紙の基材中または基材上のＯＶＤとは別の部分に、ＯＶＤによって発現した反射光や回折光の入射角と反射角を変化させるプリズム構造を備えた事を特徴とする偽造防止用紙。
【請求項２】
光学的変化を発現させるＯＶＤを有する偽造防止用紙において、偽造防止用紙の基材中または基材上のＯＶＤとは別の部分に透明部を設け、この透明部の少なくとも一部が、ＯＶＤによって発現した反射光や回折光の入射角と反射角を変化させるためのプリズム構造を備えている事を特徴とする偽造防止用紙。
【請求項３】
前記ＯＶＤが少なくとも２種類からなり、そのＯＶＤの反射光や回折光の入射角と反射角を変化させるための透明なプリズム構造も少なくとも２種類からなる事を特徴とする請求項１または２に記載の偽造防止用紙。
【請求項４】
前記ＯＶＤの少なくとも１種類が回折光を発現させる回折構造からなり、更にその回折構造の隣接する凸部の中心間距離が２００ｎｍ〜４００ｎｍ、凹部の深さが１００ｎｍ以上である事を特徴とする請求項１から３のいずれか１項に記載の偽造防止用紙。
【発明の詳細な説明】
【技術分野】
【０００１】
本発明は、偽造防止を必要とする種類の用紙に関わり、詳しくは、偽造防止用紙に施された光学的変化を発現させる表示体の真贋判定が容易にできる偽造防止用紙に関する。
【背景技術】
【０００２】
従来、偽造を防止する手段としては、簡単に真似する事のできない微細構造や色調変化を施したり、または他の光学機能フィルムを判定子として、それとの組み合わせでのみある光学的現象が観察されるような構成としたり、更には専用の読取装置でのみ一定のパターン等が読み取れるようにするなど、様々な態様が技術の進歩とともに実用化されてきた。
【０００３】
その中でも、実際の運用上の簡便さから、最も利用されている偽造防止表示体としては、光学的変化を発現させるＯＶＤ（光学可変素子：”Ｏｐｔｉｃａｌ（ｌｙ）  Ｖａｒｉａｂｌｅ  Ｄｅｖｉｃｅ”の略）であるホログラムや回折構造体などが挙げられる。ホログラムは、二光束干渉などの光学的撮影方法により、微細な凹凸パターンや、屈折率分布を設ける事で作製され、回折構造体は、微小なエリアに回折格子を配置したものを画素として回折格子像が作製される。
上記ホログラムや回折構造体は、双方ともに偽造困難で、カラーコピー機等による複写も困難で、また意匠的にも優れる事から、クレジットカードやＩＤカード、各種有価証券、証明書等に広く用いられている。
しかしながら、実際の運用上ではホログラムや回折構造体の真偽判定は人の目に委ねられるため、微視的には粗悪な偽造品であっても全ての人が肉眼で一様に正確な真偽判定を行う事は容易でない。
【０００４】
また、上述のようなホログラムや回折構造体が流通、普及していく中で、偽造技術も進歩していくため、より偽造が困難な表示体が求められている。
例えば、表面レリーフ構造のホログラムや回折構造体は密着露光により複製される恐れがある。
偽造を防ぐため、例えば回折効果を持つ細かいパターンの配置に工夫を凝らす事が特許文献１に記載されている。この表示体は、目視では情報が読み取れないようにセキュリティ情報の有無を分かり難くしている。従って、真正品か否かの判断は目視では困難であるから、その判定には読み取り機械を使用する事になる。
また、密着露光法で複製されたホログラムや回折構造体は、オリジナルと比較すれば精度の低下を確認できるが、通常複製品は複製品のみで流通するため、専門家ではない一般の人には真正品か否かの判断が困難であるという問題がある。
【０００５】
微細な凹凸を設けた基材は、入射した光の反射を抑える事が知られている。例えば、ある種の反射防止フィルムは、フィルム基材表面に細かい凹凸のエンボス加工を施したり、フィルム形成樹脂そのものにフィラーを混ぜ込む事で、フィルムの屈折率に分布を持たせるとともに、フィルム表面に凹凸を形成する。
近年では、この凹凸を更に微細に、凸部の周期を光の波長以下とする事で、光の反射を防ぎ入射光を制御できる事が開示されている（例えば特許文献２参照）。この技術は、凸部の周期が光の波長以下、特に５０〜２５０ｎｍ程度とする事で、光の反射を抑制し、光制御シートに適用したというものである（以下、この様な光の波長以下の凸部周期を持つ凹凸構造を、微細レリーフと称する）。
また、微細レリーフに反射層を備える事で、回折光を制御し、回折光が観察可能な表示体とする事が開示されている。（例えば特許文献３参照）
しかし、このような微細レリーフに反射層を設けた構成の表示体は、従来の回折構造体より高精度な製造技術が必要なため偽造が困難である事から偽造防止効果は高いが、表示体の水平方向に近い角度から観察しなければ回折光が発生しないため、従来の回折構造の観察方法では、回折光の観察が難しいという問題がある。
【０００６】
また、１つの偽造防止用紙上に特殊な加工がなされた透明部と不透明部を設け、これらを重ね合わせた時にモアレが現れる事が開示されている。（例えば特許文献４参照）この技術には不透明部に回折構造を用いる事が記載されてはいるが、この回折構造単体は凸レンズの効果を発現させるためのものであり、偽造防止用ＯＶＤのような表示体ではなく、透明部と重ね合わせて初めて視覚的な効果を得るものである。
【先行技術文献】
【特許文献】
【０００７】
【特許文献１】特表２００２−５０５７７４号公報
【特許文献２】特開２００７−４８６８８号公報
【特許文献３】特開２００８−２７５７４０号公報
【特許文献４】特表２００８−５１３８１６号公報
【発明の概要】
【発明が解決しようとする課題】
【０００８】
本発明は、上記問題の解決を目的としている。即ち、本発明の課題は、ＯＶＤが備える高度な視覚効果を変化させる事なく、人間の視覚でその特徴を把握し、真贋判定を容易に行える偽造防止用紙を提供する事である。
【課題を解決するための手段】
【０００９】
本発明において、上記課題を達成するために、まず請求項１の発明では、光学的変化を発現させるＯＶＤを有する偽造防止用紙において、偽造防止用紙の基材中または基材上のＯＶＤとは別の部分に、ＯＶＤによって発現した反射光や回折光の入射角と反射角を変化させるプリズム構造を備えた事を特徴とする偽造防止用紙としたものである。
【００１０】
請求項２の発明では、光学的変化を発現させるＯＶＤを有する偽造防止用紙において、偽造防止用紙の基材中または基材上のＯＶＤとは別の部分に透明部を設け、この透明部の一部が、ＯＶＤによって発現した反射光や回折光の入射角と反射角を変化させるためのプリズム構造を備えている事を特徴とする請求項１に記載の偽造防止用紙としたものである。
【００１１】
請求項３の発明では、ＯＶＤが少なくとも２種類からなり、ＯＶＤの反射光や回折光の入射角と反射角を変化させるための透明なプリズム構造も、少なくとも２種類からなる事を特徴とする請求項１または２に記載の偽造防止用紙としたものである。
【００１２】
請求項４の発明では、前記ＯＶＤの少なくとも１種類が回折光を発現させる回折構造からなり、更にこの回折構造が、隣接する凸部の中心間距離が２００ｎｍ〜４００ｎｍの範囲、凹部の深さが１００ｎｍ以上である事を特徴とする請求項１から３のいずれか１項に記載の偽造防止用紙としたものである。
【発明の効果】
【００１３】
本発明は以上の構成であるから、下記に示す如き効果がある。
【００１４】
即ち、本発明の偽造防止用紙は、偽造防止用のＯＶＤの真偽判定で反射光や回折光を観察する時に、偽造防止用紙をいろいろな角度に何度も傾けたり深い角度にまで傾ける事無
く、プリズム構造部を重ね合わせるだけで、複数種類の反射光や回折光を容易に観察する事が可能となる。
【図面の簡単な説明】
【００１５】
【図１】本発明に係る偽造防止用紙の第１の例を示す平面図。
【図２】本発明に係る偽造防止用紙の第１の例を示す断面図、及び通常時のＯＶＤにおける入射光、反射光、回折光のモデル図（図１のＡ−Ａ断面）。
【図３】図１の偽造防止用紙の真贋判定時の平面図。
【図４】図１の偽造防止用紙の真贋判定時の断面図、及び真贋判定時の入射光、反射光、回折光のモデル図。（図３のＢ−Ｂ断面）。
【図５】本発明の偽造防止用紙の真贋判定時のＯＶＤ及びプリズム構造部の拡大断面図と入射光、反射光、回折光のモデル図（図４のＣ部の拡大）。
【図６】本発明に係る偽造防止用紙の第２の例を示す平面図。
【図７】本発明に係る偽造防止用紙の第２の例を示す断面図（図６のＤ−Ｄ断面）。
【図８】本発明に係る偽造防止用紙の第２の例を示す断面図（図６のＥ−Ｅ断面）。
【図９】本発明に係る第３の例を示す平面図。
【図１０】本発明に係る偽造防止用紙の第３の例を示す断面図（図９のＦ−Ｆ断面）。
【図１１】本発明に係る偽造防止用紙の第３の例を示す断面図（図９のＧ−Ｇ断面）。
【図１２】図９の偽造防止用紙の真贋判定時の平面図。
【図１３】図９の偽造防止用紙の真贋判定時の断面図、及び真贋判定時の入射光、反射光、回折光のモデル図（図９のＦ’−Ｆ’断面）。
【図１４】図９の偽造防止用紙の真贋判定時の断面図、及び真贋判定時の入射光、反射光、回折光のモデル図（図９のＧ’−Ｇ’断面）。
【発明を実施するための形態】
【００１６】
以下、図面を用いて本発明の実施形態を詳細に説明する。
【００１７】
図１は、本発明に係る偽造防止用紙の第１の例を示す平面図である。
図１の偽造防止用紙１は、基材１１上に光学可変素子であるＯＶＤ１２が帯状に貼付されている。尚、このＯＶＤ１２はその光学変化を直接目視で観察できれば、窓開き状に基材１１中に漉き込まれていたり、帯状ではない別の形状に貼付されていても良い。ＯＶＤ１２は、観察する角度によって図柄や色彩、明るさなどが変化する表示体からなり、図１では例えば破線で囲んだ“ＯＶＤ”の文字がＯＶＤ１２１であり、図１は真正面から見た図であるため、中央部の“ＯＶＤ”のＯＶＤ１２１は明るさが暗く、用紙端に近いＯＶＤ１２１では真正面ではなく角度が変化するので、輝度が少し増している。
図１の偽造防止用紙１の基材１１には穿孔部１３があり、穿孔部１３を覆うようにプリズムシート１４が貼付されている。尚、このプリズムシート１４は、図２に断面を示したようにプリズムの凹凸がある面を基材１１側とし、その反対面は平面である。
【００１８】
図２は、図１で示した偽造防止用紙１の断面図であり、ＯＶＤ１２が回折構造体である場合の光学的な特性を図示したものである。
ＯＶＤ１２の回折構造部１２１に照明光１２１ａが入射した場合、正反射光１２１ｂと回折光１２１ｃが発生し、観察者は１２１ｃの角度から観察できるように偽造防止用紙１または顔を傾ける事で回折光１２１ｃを観察する事ができる。
【００１９】
図３は、本発明の偽造防止用紙１の真贋判定を行う時の状態を示した平面図で、偽造防止用紙１を折り曲げてＯＶＤ１２にプリズムシート１４を密着させながら穿孔部１３からＯＶＤ１２を観察した状態を示している。
【００２０】
図４は、図３のＢ−Ｂ断面と回折構造部１２１の光学的な特性を示したもので、ＯＶＤ
１２の回折構造部１２１に照明光１２１ａが入射した場合、正反射光１２１ｂと回折光１２１ｃが発生し、プリズムシート１４によって入射光及び反射光、回折光の角度が各々変化する事を示している。
【００２１】
図５は、図４におけるプリズムシート１４と回折構造部１２１とが接触した部分Ｃを拡大した断面図で、プリズムによる光の屈折効果の詳細を示したものである。プリズムシート１４は、観察面側に頂角αのＶ字形状のプリズム構造を有し、その反対面は回折構造部１２１と密着するために平坦な形状となっている。一方、回折構造部１２１は、プリズムシート１４と接する面が平坦で、その反対面に回折構造であるレリーフが形成されている。
このような構造による屈折効果は、照明光１２１ａがプリズムシート１４にθ１の角度で入射した時、空気とプリズムシートの屈折率の差によって照明光１２１ａの入射角度がθ２に変化して回折構造部１２１に入射する。これにより、回折構造部１２１では反射光１２１ｂと回折光１２１ｃが発生し、各々プリズムシートの屈折によって、反射光１２１ｂは射出角がθ２からθ１に、回折光１２１ｃは射出角がθ４からθ３に変化して射出される。この時の屈折現象は、空気の屈折率とプリズムシートの屈折率との差により発現し、一般的には空気の屈折率は約１．０、プリズムシートに使用できる透明材料であるガラスや樹脂の屈折率は１．５〜２．５程度であるため、空気の１．０よりも大きくなり、スネルの法則（ｎ１Ｓｉｎθ１＝ｎ２Ｓｉｎθ２）により、θ１＞θ２、θ４＞θ３となる。
【００２２】
図６は本発明に係る偽造防止用紙の第２の例を示す平面図である。図６の偽造防止用紙２には、穿孔部１３を覆うように透明部１５が設けられており、透明部１５の上半分は光の入射や射出の向きを変えるためのＶ型構造であるプリズム部１５１であり、透明部１５の下半分は透明で平坦な形状からなる平坦部１５２である。
【００２３】
図７は、図６のＤ−Ｄの断面、また、図８は、図６のＥ−Ｅの断面を示す断面図である。
【００２４】
図９は本発明に係る偽造防止用紙の第３の例を示す平面図である。図９の偽造防止用紙３のＯＶＤ１２には、回折光を発現させるための入射角が異なる２種類の回折構造として、回折構造部１２１と回折構造部１２２が形成されており、透明部１５には回折構造部１２１に対応した頂角のプリズム構造部１５３と、回折構造部１２２に対応した頂角のプリズム構造部１５４が形成され、穿孔部１３を覆っている。また、図１０は、図９のＦ−Ｆ断面の断面図で、図１１は、図９のＧ−Ｇ断面の断面図である。
【００２５】
図１２は本発明の偽造防止用紙３の真贋判定を行う時の状態を示した平面図で、偽造防止用紙３を折り曲げてＯＶＤ１２にプリズムシート１４を密着させながら穿孔部１３からＯＶＤ１２を観察した状態で、図９のＦ−Ｆ及びＧ−Ｇは、真贋判定時には図１２のＦ’−Ｆ’及びＧ’−Ｇ’のような状態となる。また、図１２のように回折構造部１２１を、プリズム構造部１５３を通して観察した場合、少ない傾き角で回折構造部１２１’のような回折光が観察され、回折構造部１２２もプリズム構造部１５４を通して観察した場合には、更に正面に近い角度で回折構造部１２２’のような回折光を観察する事が出来る。
【００２６】
図１３は、図１２におけるＦ’−Ｆ’断面図、図１４は図１２におけるＧ’−Ｇ’断面図で、更に、各々プリズム構造部１５３及びプリズム構造部１５４を通って、光がＯＶＤ１２に入射し、反射光と回折光が発生する時の光路を示したもので番号末尾にａが付く光路が入射光、番号末尾にｂが付く光路が反射光、番号末尾にｃが付く光路が回折光を示している
【００２７】
以下、本発明の偽造防止用紙の構成について、詳細に説明する。
【００２８】
（基材）
基材１１は偽造防止用紙１乃至４の基材であり、紙や樹脂の単体またはその積層体、もしくは紙や樹脂の複合単体や積層体、または樹脂を主材料として製造された合成紙など、偽造防止用紙に使用される材料であれば何れの材質でも良い。
【００２９】
（ＯＶＤ）
ＯＶＤ１２は、基材として樹脂フィルムが使用できる。樹脂フィルムとしては、ポリエチレンテレフタレート樹脂フィルム、ポリエチレンナフタレート樹脂フィルム、ポリイミド樹脂フィルム、ポリエチレン樹脂フィルム、ポリプロピレン樹脂フィルム、耐熱塩化ビニルフィルム等が使用できる。これらの樹脂の中で、耐熱性が高く厚みが安定している事から、ポリエチレンテレフタレート樹脂フィルムが好ましく使用できる。
【００３０】
基材上に設けられるＯＶＤとしては、回折構造物に金属反射層を設けたものや、多層薄膜である光学多層干渉膜やコレステリック液晶の層、観察する角度に応じて異なる色彩を見る事ができる粉末を含有するインキ等が利用可能であるが、観察する角度で複数の画像が切り替わったり、色が変化したりする角度を大きく変える事が出来る回折構造体が望ましい。また、偽造防止用紙の基材１１に貼付するための接着層を設けても良い。
【００３１】
前記レリーフ型回折格子は、その表面に微細な凹凸パターンの形態で回折格子を記録したものである。このような凹凸パターンは、例えば、二光束干渉法を使用して感光性樹脂の表面に互いに可干渉の２本の光線を照射してこの感光性樹脂表面に干渉縞を生成させ、この干渉縞を凹凸の形態で感光性樹脂に記録する事で形成できる。尚、この二光束性干渉法によって形成された干渉縞も回折格子であり、前記２本の光線の選択によって任意の立体画像を回折格子パターンとして記録する事が可能で、観察する角度に応じて異なる画像（以下チェンジング画像と言う）が見られるように記録する事が可能である。
【００３２】
本発明に用いられる回折格子構造物により発現する画像パターンを記録する方法については、前記二光束干渉法の他にもイメージホログラムやレインボーホログラム、インテグラルホログラムなど、従来から知られているホログラムの製造方法により作製が可能である。
【００３３】
また、レリーフ型回折格子の凹凸パターンは、電子線硬化型樹脂の表面に電子線を照射して、回折格子となる縞状パターンに露光する事によって回折構造物を形成する事も可能である。この場合には、その干渉縞を１本ごとに制御する事ができるため、ホログラムと同様に任意の立体画像やチェンジング画像を記録する事ができる。また、画像をドット状の画素領域に分割し、この画素領域ごとに異なる回折格子を記録し、これら画素の集合で全体の画像を表現する事も可能である。画素は円形のドットの他、星形のドットでも良い。
【００３４】
また、誘起表面レリーフ形成法によって、前記凹凸パターンを形成する事も可能である。すなわち、アゾベンゼンを鎖側に持つポリマーのアモルファス薄膜に対して、青色〜緑色に渡る範囲の或る波長を有した数十ｍＷ／ｃｍ２程度の比較的弱い光を照射する事によって、数μｍスケールでポリマー分子の移動を起こし、結果、薄膜表面に凹凸によるレリーフを形成する事ができる。
【００３５】
そして、このように形成された凹凸パターンを有するレリーフ型のマスター版の表面に電気メッキ法で金属膜を形成する事によって、レリーフ型マスター版の凹凸パターンを複製し、これをプレス版とする。そして、回折構造１２１や１２２を形成するためのＯＶＤ
形成層にこのプレス版を熱圧着し、薄膜表面に凹凸パターンからなるレリーフを転写する事で、回折構造体が形成される。
【００３６】
このようなＯＶＤ形成層に使用される樹脂としては、熱可塑性樹脂、熱硬化性樹脂、紫外線あるいは電子線硬化性樹脂等が使用できる。例えば、熱可塑性樹脂では、アクリル系樹脂、エポキシ系樹脂、セルロース系樹脂、ビニル系樹脂等が挙げられる。また、反応性水酸基を有するアクリルポリオールやポリエステルポリオール等にポリイソシアネートを架橋剤として添加して架橋させたウレタン樹脂、メラミン系樹脂、フェノール系樹脂等が使用できる。また、紫外線あるいは電子線硬化性樹脂としては、エポキシ（メタ）アクリル、ウレタン（メタ）アクリレート等が使用できる。
【００３７】
前記ＯＶＤ１２が回折構造体の場合には、回折構造体に接するように反射層が設けられる。この場合の反射層としては、反射輝度が高い点で金属薄膜が好ましく利用できる。この金属薄膜に用いられる金属としては、例えば、Ａｌ、Ｓｎ、Ｃｒ、Ｎｉ、Ｃｕ、Ａｕ、真鍮等が挙げられる。そして、真空製膜法を利用してこの金属薄膜を形成する事ができる。真空製膜法としては、真空蒸着法、スパッタリング法等が適用でき、厚みは５〜１０００ｎｍ程度に制御できれば良い。
【００３８】
また、金属粉末や透明材料の粉末を含むインキを印刷して薄膜としても良い。この場合、粉末としては粒子径５００ｎｍ以下のものが好ましい。薄膜の厚みは０．１〜２０μｍが好ましく、印刷方式として、グラビア印刷法、フレキソ印刷法、スクリーン印刷法等、公知の印刷方法が利用できる。
【００３９】
尚、反射層を任意のパターンに加工して部分反射層としても良い。この部分反射層を形成する方法として、以下の方法が用いられる。
【００４０】
即ち、その第１の方法は、前述の印刷方式を利用する方法である。また、第２の方法は、回折構造体に画像パターン状の開口部を有するマスクを重ねて反射層を部分的に各々の工程で真空製膜する事により、画像パターン状に製膜する方法である。
【００４１】
その第３の方法は、まず、溶剤溶解性の樹脂層を回折構造体上にネガパターン状に設け、この溶剤溶解性樹脂層を被覆して全面一様な反射層を形成した後、溶剤で前記の溶剤溶解性樹脂層を溶解して除去すると同時に、この溶剤溶解性樹脂層上に重ねられた反射層を除去する事によって、回折構造体上に画像パターン状に残存した反射層を部分反射層とする方法である。
【００４２】
また、その第４の方法は、まず、ＯＶＤ１２上に、ＯＶＤ形成層から剥離しやすい樹脂層をネガパターン状に設け、この樹脂層を被覆して全面一様に反射層を形成した後、粘着ロールや粘着紙等に押し当てる事によって粘着ロールや粘着紙等にネガパターン状に転写させて除去し、結果、反射層が画像パターン状に残存され、部分反射層となる方法である。
【００４３】
次に、その第５の方法は、ＯＶＤ形成層上の全面一様に反射層を形成し、この反射層上に耐薬品性の樹脂層を画像パターン状に設け、アルカリ性または酸性のエッチング液を適用して露出している反射層を溶解して除去し、部分反射層とする方法である。この場合、反射層を画像パターン状に加工したした後、前記耐薬品性樹脂層を除去しても良いが、そのまま部分反射層上に残存させて、耐薬品性を持たせるための保護層として利用する事もできる。
【００４４】
次に、その第６の方法はＯＶＤ形成層上に全面一様に形成された反射層に感光性樹脂層
を形成し、画像パターン状に露光・現像した後、アルカリ性または酸性のエッチング液を適用して露出した反射層を溶解して除去する方法である。この場合も、残存する感光性樹脂層をそのまま残存させて、耐薬品性を持たせる保護層として利用する事ができる。
【００４５】
また、その第７の方法は、全面一様に形成された反射層にレーザ光を照射して除去する事により、残存する反射層がそのまま部分反射層として画像パターン状となる方法である。
【００４６】
（接着層）
接着層としては、熱及び圧力によって被転写物である基材１１に接着するものであれば良く、公知の感熱性接着材料を使用する事ができる。
【００４７】
（その他の層）
図には示さないが、その他の層として各層間の密着性をより強固なものとするためにアンカー層を設けたり、ＯＶＤ１２の全面または一部を着色する着色層を設けたり、文字や絵柄を印刷するために印刷層を追加する事ができる。これらのインキとしては、周知の密着向上剤や接着剤、染料や顔料を用いた着色剤、または印刷インキなどをそれぞれ使用する事ができる。
【００４８】
（プリズムシート）
プリズムシート１４に使用される基材としては、樹脂フィルムが使用できる。樹脂フィルムとしては、ポリエチレンテレフタレート樹脂フィルム、ポリエチレンナフタレート樹脂フィルム、ポリイミド樹脂フィルム、ポリエチレン樹脂フィルム、ポリプロピレン樹脂フィルム、耐熱塩化ビニルフィルム等が使用できる。これらの樹脂の中で、耐熱性が高く厚みが安定している事から、ポリエチレンテレフタレート樹脂フィルムが好ましく使用できる。
【００４９】
プリズムシート１４におけるＶ字形状のプリズム構造部を構成するための樹脂としては、可視光が透過できる透明性を有していれば、熱可塑性樹脂、熱硬化性樹脂、紫外線あるいは電子線硬化性樹脂等が使用できる。例えば、熱可塑性樹脂では、アクリル系樹脂、エポキシ系樹脂、セルロース系樹脂、ビニル系樹脂、ポリカーボネート樹脂等が挙げられる。
また、反応性水酸基を有するアクリルポリオールやポリエステルポリオール等にポリイソシアネートを架橋剤として添加して架橋させたウレタン樹脂、メラミン系樹脂、フェノール系樹脂等が使用できる。この内、紫外線あるいは電子線硬化性樹脂としては、エポキシ（メタ）アクリル、ウレタン（メタ）アクリレート等も使用でき、Ｖ字のプリズム形状の加工は、切削や金属版による熱圧エンボス、射出成型等により作製出来る。尚、本発明では、透明な樹脂を用いて所望の形状に作製できれば、特に前記樹脂や作製方法に限定されるものではない。
【００５０】
また、プリズムシートの形状は、前記ＯＶＤ１２と接する側を平面とし、その反対面を規則的にＶ型構造としたものである。入射光や回折光、反射光などの各々の光はスネルの法則に従い、プリズムシート１４のＶ型構造の界面に光が臨界角以内の角度で入射する時と射出される時に、各々空気とプリズムシートとの界面で屈折して進み、その屈折角は、プリズムシート１４を構成する材料の屈折率ｎと頂角αによって決まるため、屈折率ｎと頂角αを適切に設計する事で、回折光の射出角度を任意に設定する事が可能となる。
【実施例】
【００５１】
次に、実施例によって本発明を説明する。
＜実施例１＞
【００５２】
本発明第１の例である偽造防止用紙について説明する。
まず、プリズムシートの基材として２５μｍ厚みのポリエチレンテレフタレート（通称ＰＥＴ）フィルムを使用した。この基材に、紫外線硬化タイプのアクリル樹脂をバーコート法により５μｍの膜厚に均一に塗布し、角度が７９°の頂角を持つＶ字型の溝が一定間隔で並んだ形状を持つＮｉ製のエンボス版を押し当てながら紫外線を照射して硬化させ、所望のプリズムシートを作製した。
【００５３】
次に、偽造防止用紙の原料となる針葉樹パルプを水中で叩解し、サイズ剤（デンプン質）、填料（炭酸カルシウム）を添加したスラリーを作製し、手漉き装置を用いて任意の形状に設計された窓開き部からプリズムシートが露出するように紙層中に漉き込んで脱水、乾燥させ、秤量１５０ｇ／ｍ２の偽造防止用紙の基材を作製した。
【００５４】
次に、ＯＶＤとして１２μｍのＰＥＴフィルムを基材とし、この基材の片面に、下記組成物からなるインキを塗布・乾燥し、膜厚１．５μｍのＯＶＤ形成層を形成した後、ロールエンボス法によりプレス版を熱圧してその表面に回折構造を発生させるための凹凸を同時に形成した。
【００５５】
次に、このＯＶＤ形成層の全面に真空蒸着法にてアルミニウム蒸着膜を膜厚５０ｎｍにて均一に形成し、反射層を形成した。
【００５６】
この反射層上に、下記組成物からなるインキを塗布・乾燥し、膜厚３μｍのホットメルトタイプの接着層を形成した。
【００５７】
最後に、基材上の、漉き込まれているプリズムシートから離れた位置に、帯状のＯＶＤを１６０℃に熱した熱ロールにより基材に貼付し、本発明第１の事例である偽造防止用紙を作製した。
【００５８】
「ＯＶＤ形成層インキ組成物」
アクリル樹脂                                    ２０．０重量部
反応性シリコーン                                  １．０重量部
メチルエチルケトン                              ５０．０重量部
酢酸エチル                                      ３０．０重量部
【００５９】
「接着層インキ組成物」
塩化ビニル酢酸ビニル共重合樹脂                  １５．０重量部
アクリル樹脂                                    １０．０重量部
シリカ                                            １．０重量部
メチルエチルケトン                              ４４．０重量部
トルエン                                        ３０．０重量部
【００６０】
＜実施例２＞
次に実施例２として、本発明第４の例である偽造防止用紙について説明する。
まず、プリズムシートの基材として２５μｍ厚みのポリエチレンテレフタレート（通称ＰＥＴ）フィルムを使用した
この基材に、紫外線硬化タイプのアクリル樹脂をバーコート法により５μｍの膜厚に均一に塗布し、角度が５０°の頂角を持つＶ字型の溝が一定間隔で並んだ形状を持つＮｉ製のエンボス版を押し当てながら紫外線を照射して硬化させ、所望のプリズムシートを作製した。
【００６１】
次に、偽造防止用紙の原料である針葉樹パルプを水中で叩解し、サイズ剤（デンプン質）、填料（炭酸カルシウム）を添加したスラリーを作製し、手漉き装置を用いて任意の形状に設計された窓開き部からプリズムシートが露出するように紙層中に漉き込んで脱水、乾燥させ、秤量１５０ｇ／ｍ２の偽造防止用紙の基材を作製した。
【００６２】
次に、ＯＶＤの基材として１２μｍのＰＥＴフィルムを基材とし、この基材の片面に、下記組成物からなるインキをバーコート法によって塗布・乾燥し、膜厚２．５μｍのＯＶＤ形成層を形成した後、回折構造の凹部の深さが４００ｎｍ、凹部のピッチ（中心間距離）が３６０ｎｍの凹凸構造と、高さが５００ｎｍ、ピッチが１μｍの波状の凹凸構造の２種類の回折構造を持つＮｉ版を前記ＯＶＤ形成層に押し当て、ＰＥＴフィルム面側からＯＶＤ形成層に向けて紫外線を照射してインキを硬化させる事により、所望の回折構造を形成した。
【００６３】
次に、このＯＶＤ形成層の全面に真空蒸着法にてアルミニウム蒸着膜を膜厚５０ｎｍにて均一に形成し、反射層を形成した。
【００６４】
また、この反射層上に、下記組成物からなるインキを塗布・乾燥し、膜厚３μｍのホットメルトタイプの接着層を形成した。
【００６５】
最後に、基材上に漉き込まれたプリズムシートから離れた位置に、帯状のＯＶＤを１６０℃に熱した熱ロールにより基材に貼付し、本発明第４の事例である偽造防止用紙を作製した。
【００６６】
「ＯＶＤ形成層インキ組成物」
紫外線硬化型アクリル樹脂                        ２０．０重量部
メチルエチルケトン                              ５０．０重量部
酢酸エチル                                      ３０．０重量部
【００６７】
「接着層インキ組成物」
塩化ビニル酢酸ビニル共重合樹脂                  １５．０重量部
アクリル樹脂                                    １０．０重量部
シリカ                                            １．０重量部
メチルエチルケトン                              ４４．０重量部
トルエン                                        ３０．０重量部
【００６８】
＜比較例＞
比較例として、実施例１及び２におけるプリズムシートが無い他は、全て同じ層構成、材料からなる偽造防止用紙を作製した。
【００６９】
実施例１で作製した偽造防止用紙を中心付近で折り曲げ、プリズムシートをＯＶＤに密着させ、プリズムシート越しにＯＶＤを観察したところ、正面から３０°の角度で回折光を観察する事が出来た。また、そのままの状態でプリズムシート部を手でずらし、ＯＶＤに何も被せない状態でＯＶＤを観察した場合には、この角度では回折光は観察されず、更に角度が大きくなるように傾けた所で回折光が観察された。このように、実施例１で作製した偽造防止用紙では、手でプリズムシートを上下または左右に動かすだけで、観察する角度を変える事無く、ＯＶＤの回折光の有り無し状態による真贋判定が可能であり、プリズムシートのおかげで、プリズムシートが無い状態の比較例で作製した偽造防止用紙よりも、より正面に近い角度で回折光を観察する事ができた。
【００７０】
次に、実施例２で作製した偽造防止用紙をその中心付近で折り曲げ、プリズムシート部
をＯＶＤに密着させてＯＶＤを観察したところ、正面から１５°の角度に傾けた状態で文字の色彩が変化して回折光を観察する事が出来、更にそこから角度を２２°に変化させると、更に緑色の回折光を観察する事ができた。一方、プリズムシートがない状態の比較例で作製した偽造防止用紙では、正面から１５°及び２０°では回折光を観察する事が出来ず、もっと深い角度に傾ける事によって回折光が観察され、観察者によっては水平近くの角度による回折光に気付かない者もいた。よって、プリズムシートを重ね合わせる事で、２種類のＯＶＤの回折光を観察する際に、少ない観察角度変化で観察する事ができ、更に、プリズムシート部を前後、または左右にずらす事で回折光の有無が分かるので、複数種類のＯＶＤが混在しても真贋判定がし易かった。
【００７１】
このように、本発明の偽造防止用紙は、プリズムシートを設ける事によって、１種類の回折構造のみならず、複数種類の回折構造を持つ偽造防止用紙でも、容易に回折光を観察する事が可能であり、真贋判定も容易に行える偽造防止用紙である事が分かった。
【符号の説明】
【００７２】
１・・・・本発明に係る第１の例である偽造防止用紙
２・・・・本発明に係る第２の例である偽造防止用紙
３・・・・本発明に係る第３の例を示す偽造防止用紙
１１・・・・本発明に係る第１の例乃至第４の例を示す偽造防止用紙の基材
１２・・・・ＯＶＤ（光学可変素子）
１３・・・・穿孔部
１４・・・・プリズムシート
１５・・・・透明部
１２１・・・・回折構造部
１２２・・・・回折構造部
１２１ａ・・・・入射光
１２１ｂ・・・・反射光
１２１ｃ・・・・回折光
１２２ａ・・・・入射光
１２２ｂ・・・・反射光
１２２ｃ・・・・回折光
１５１・・・・プリズム構造部
１５２・・・・平坦部
１５３・・・・プリズム構造部
１５４・・・・プリズム構造部
【図１】
0005604860.tif 000002
【図２】
0005604860.tif 000003
【図３】
0005604860.tif 000004
【図４】
0005604860.tif 000005
【図５】
0005604860.tif 000006
【図６】
0005604860.tif 000007
【図７】
0005604860.tif 000008
【図８】
0005604860.tif 000009
【図９】
0005604860.tif 000010
【図１０】
0005604860.tif 000011
【図１１】
0005604860.tif 000012
【図１２】
0005604860.tif 000013
【図１３】
0005604860.tif 000014
【図１４】
0005604860.tif 000015